(57)【要約】【課題】本発明は、横引配管のメンテナンス作業を容易に実施でき、トイレ空間に広い有効スペースを確保することを目的としている。【解決手段】本発明は、壁により区画されたトイレ空間内に配置されるトイレシステム１であって、洗浄水を貯水する貯水タンク４と、この貯水タンク４から供給される洗浄水により洗浄が行われると共に排出物がその下流端１１から排出される便器本体２と、この便器本体２の下流端１１にその一端が接続される排水継手３２と、この排水継手３２と接続され排出物をトイレ空間外へと搬送するための横引配管６と、を有し、横引配管６が貯水タンク４の下方に位置する便器本体２の内部空間内で且つ便器本体２の後端より前方側に配置されたことを特徴としている。【選択図】図２
2019138050.tif 000002
【特許請求の範囲】
【請求項１】
壁により区画されたトイレ空間内に配置されるトイレシステムであって、
洗浄水を貯水する貯水タンクと、
この貯水タンクから供給される洗浄水により洗浄が行われると共に排出物がその下流端から排出される便器本体と、
この便器本体の下流端にその一端が接続される排水継手と、
この排水継手と接続され上記排出物を上記トイレ空間外へ搬送するための横引配管と、を有し、
上記横引配管が上記貯水タンクの下方に位置する上記便器本体の内部空間内で且つ上記便器本体の後端より前方側に配置されたことを特徴とするトイレシステム。
【請求項２】
上記排水継手には上記便器本体の下流端と接続される接続口が形成され、この接続口が前方斜め上方に向けて開口されている、請求項１に記載のトイレシステム。
【請求項３】
更に、上記横引配管に接続された掃除口付継手を有し、この掃除口付継手には上方に向けて開口する掃除口が形成されている、請求項１又は２に記載のトイレシステム。
【請求項４】
更に、上記横引配管及び上記掃除口付継手を囲って隠蔽するケーシングを有し、このケーシングは、その上端が上記貯水タンクの上端より低い位置となるように配置されている、請求項３に記載のトイレシステム。
【発明の詳細な説明】
【技術分野】
【０００１】
本発明は、トイレシステムに係り、特に壁により区画されたトイレ空間内に配置されるトイレシステムに関する。
【背景技術】
【０００２】
大便器においては、汚物等の排出物を建物外に搬送するため、その便器本体の排出口が横引配管に接続されている。横引配管を壁により区画されたトイレ空間内に配置すると、トイレ空間の有効スペース（使用者が移動することができる空間）が減るため、狭いトイレ空間においては好まれていなかった。そこで、特許文献１のトイレシステムでは、横引配管をトイレ空間外（トイレ空間を形成する後方側壁の背面側）に設けることにより、トイレ空間内に広い有効スペースを確保するようにしている。しかしながら、近年、使用者がトイレットペーパー以外の非水溶性異物を誤って流すことにより横引配管が詰まることがあるので、横引配管を容易にメンテナンスできるようにしてほしいという市場ニーズが高まっている。特許文献１のトイレシステムにおいては、横引配管がトイレ空間外に配置されているので、後方側壁を取り外さなければメンテナンス作業を行うことができず、作業者に過度の負担が生じていた。
【０００３】
これに対して、特許文献２のトイレシステムにおいては、横引配管をトイレ空間内の後方側に配置することにより、出来るだけ広い有効スペースを確保しつつ、横引配管のメンテナンス作業が容易に実施できるようになっている。また、トイレ空間に横引配管が配置されていることによる見栄えの悪化を防止するために、横引配管がケーシングで覆い隠されている。
【先行技術文献】
【特許文献】
【０００４】
【特許文献１】実開平４−１７４７４号公報
【特許文献２】特許第５８８５００８号公報
【発明の概要】
【発明が解決しようとする課題】
【０００５】
しかしながら、特許文献２のトイレユニットにおいては、大便器と後方側壁との間に、横引配管及びケーシングが配置されているので、その分だけ大便器を前方側に移動させて設置しなければならない。このため、トイレ空間の有効スペースが狭くなる問題が依然として存在している。特に、貯水タンクを一体的に備えているタンク式便器においては、便器本体の前後方向の寸法が他のタイプの便器と比べて大きくなるので、顕著にトイレ空間の有効スペースが狭くなるという問題がある。
【０００６】
本発明は、上述した従来の問題点を解決するためになされたものであり、横引配管のメンテナンス作業を容易に実施でき、トイレ空間に広い有効スペースを確保することを目的としている。
【課題を解決するための手段】
【０００７】
上述した課題を解決するために、本発明は、壁により区画されたトイレ空間内に配置されるトイレシステムであって、洗浄水を貯水する貯水タンクと、この貯水タンクから供給される洗浄水により洗浄が行われると共に排出物がその下流端から排出される便器本体と、この便器本体の下流端にその一端が接続される排水継手と、この排水継手と接続され排出物をトイレ空間外へ搬送するための横引配管と、を有し、横引配管が貯水タンクの下方に位置する便器本体の内部空間内で且つ便器本体の後端より前方側に配置されたことを特徴としている。
【０００８】
このように構成された本発明においては、横引配管が便器本体の内部空間におけるデットスペースに配置されているので、横引配管、便器本体及び貯水タンクがコンパクトにされた状態でトイレ空間内に配置される。したがって、横引配管のメンテナンス作業を容易に実施でき、トイレ空間の有効スペースを確保することができる。
【０００９】
本発明において、好ましくは、排水継手には便器本体の下流端と接続される接続口が形成され、この接続口が前方斜め上方に向けて開口されている。このように構成された本発明においては、前方斜め上方に向けて開口されている接続口に対して、便器本体の下流端を後方斜め下方に挿入させるようになっているので、便器本体を排水継手に容易に接続することができる。
【００１０】
また、本発明において、好ましくは、更に、横引配管に接続された掃除口付継手を有し、この掃除口付継手には上方に向けて開口する掃除口が形成されている。このように構成された本発明においては、横引配管内に汚物等の詰まりが生じた場合に、掃除口付継手を介して配管内のメンテナンス作業を容易に実施することができる。
【００１１】
本発明において、好ましくは、更に、横引配管及び掃除口付継手を囲って隠蔽するケーシングを有し、このケーシングは、その上端が貯水タンクの上端より低い位置となるように配置されている。このように構成された本発明においては、横引配管のメンテナンス作業を行う場合に、作業者が掃除口付継手を直接触って作業することができる。また、横引配管及び掃除口付継手がケーシングで隠蔽されているので見栄えを向上させることができる。
【発明の効果】
【００１２】
本発明のトイレシステムによれば、横引配管のメンテナンス作業を容易に実施でき、トイレ空間に広い有効スペースを確保することができる。
【図面の簡単な説明】
【００１３】
【図１】本発明の実施形態によるトイレシステムを示す斜視図である。
【図２】本発明の実施形態によるトイレシステムの側面断面図である。
【図３】本発明の実施形態によるトイレシステムの横引配管、排水継手及び掃除口付継手の組み立て状態を示す斜視図である。
【発明を実施するための形態】
【００１４】
以下、図面を参照して、本発明の実施形態によるトイレシステムについて説明する。
【００１５】
まず、図１を参照して、本発明の実施形態によるトイレシステムの全体構成について説明する。図１は、本発明の実施形態によるトイレシステムを示す斜視図である。
【００１６】
図１に示すように、符号１は、本発明の実施形態によるトイレシステムを示し、このトイレシステム１は、便器本体２と、この便器本体２の後方上部に配置された貯水タンク４を備えている。トイレシステム１は、更に、詳細は後述するように、横引配管６を備え、この横引配管６は、便器本体２の後方の内部空間内に配置されている。この横引配管６は、ケーシング８により囲まれており、横引配管６が隠蔽されるようになっている。
このトイレシステム１の周りには、左側壁２０、右側壁２２、後方側壁２４、前方扉（図示せず）が設けられ、これらの壁により区画されたトイレ空間Ｓが形成されている。
【００１７】
次に、図２及び図３を参照して、本発明の実施形態によるトイレシステムの詳細について説明する。図２は、本発明の実施形態によるトイレシステムの側面断面図である。図３は、本発明の実施形態によるトイレシステムの横引配管、排水継手及び掃除口付継手の組み立て状態を示す斜視図である。
【００１８】
水洗大便器７は、便器本体２の上面に、洗浄水を貯水するための別体の貯水タンク４が固定されている、いわゆるタンク式便器である。また、便器本体２は、貯水タンク４から供給された洗浄水による押し出し作用により排出物を排出する、いわゆる洗い落とし式大便器である。なお、貯水タンクを便器本体と別体で形成することに代えて、便器本体と一体に形成しても良い。また、便器本体を洗い落とし式便器にすることに代えて、サイホン作用により排出物を排出するサイホン式便器にしても良い。
【００１９】
便器本体２は、排出物を受ける汚物受け面８と、この汚物受け面８の下方部と接続して上方に向かって傾斜させた上昇管路とその頂端から下方に向かって傾斜させた下降管路とからなる排出管路１０と、便器本体外へ排出物を排出させる排出口が形成された下流端１１と、汚物受け面８及び排出管路１０の側面を外側から囲って隠蔽する外観壁部１２と、を備えている。便器本体２には、外観壁部１２の内側に内部空間が形成されおり、貯水タンク４の下方側且つ排出管路１０より後方側の内部空間には、比較的大きなデッドスペースが形成されている。
【００２０】
貯水タンク４の下方における便器本体２の内部空間（外観壁部１２で囲まれた内部空間）、具体的に、貯水タンク４の底面の外周を鉛直下方向に投影した部分の内部空間内には、横引配管６及びそれと接続された排水継手３２が配置されている。また、横引配管６及び排水継手３２は、便器の前後方向において、便器本体２の後端１４より前方側に位置されており、便器本体２の外郭より外側に突出しないように配置されている。さらに、横引配管６及び排水継手３２は、便器本体２の内部空間において汚物受け面８や排出管路１０等と干渉しないように配置されている。
【００２１】
排水継手３２は、直線上に延びた中空円筒管である、便器側接続部３３及び配管側接続部３４が直交して形成された、いわゆる三方継手である（図３参照）。排水継手３２は、ゴム製の排水パッキン３５を介して便器本体２の排出管路１０の下流端１１と接続されている。具体的に、便器側接続管３３の上流端には、排水パッキン３５が外嵌されており、この排水パッキン３５の開口内に便器本体２の下流端１１が挿入されることによって、便器本体２と排水継手３２とが接続されている。
【００２２】
排水パッキン３５は、排水継手３２と便器本体２との間を密封するようにシール性を有していると共に、排水継手３２と便器本体２との相対位置を上下及び左右方向に移動させるように可撓性を有している。これにより、仮に、施工現場において横引配管６の位置及び傾きにズレが生じた場合でも、排水継手３２と便器本体２との相対位置を調節することができ、排水継手３２と便器本体２との間を確実に密封することができる。
【００２３】
便器側接続管３３の接続口３８及び排水パッキン３５の開口３９は、施工後の状態（組み立てた状態）において、前方斜め上方に向けて開口されている。即ち、後方斜め下方に延びる便器本体２の下流端１１を、排水パッキン３５の開口３９（又は／及び便器側接続管３３の接続口３８）内に、後方斜め下方に移動させて、挿入させるようになっている。
【００２４】
便器本体２、排水継手３２及び排水パッキン３５は、施工状態で、排出管路１０の下降管路の流路と便器側接続管３３の流路とが、同軸上且つ同一傾斜角度になるように連結されている。これにより、流路内において流体抵抗や負圧を発生させることなく、洗浄水と共に排出物をスムーズに排出させることができるようになっている。
【００２５】
図３を参照して、複数の水洗大便器を連結する横引配管６には、直線上に延びた中空円筒管で形成される掃除口付継手４０が配置されている。掃除付継手３６には、市販の掃除具を挿入可能な大きさの開口面積で、上方に向けて開口された掃除口４２が形成されている。なお、横引配管と掃除口付継手とを別体で形成することに代えて、掃除口付継手と横引配管とを一体で形成しても良い。
詰まりの原因となる対象物が大きくて掃除口４２から取り出せない場合、掃除具等で掃除口４２から下流側へ押すと、対象物が下流側で再び詰まることがある。特に、対象物が非水溶性のものである場合は、対象物を横引配管６から取り出さない限り、詰まりが発生する可能性が残ってしまう。掃除口４２は、大きな径である横引配管６に大きな開口面積で形成されているので、種々の大きさの対象物を掃除口４２から容易に取り出すことができ、上述した可能性が発生することを抑制することができる。
【００２６】
横引配管６及び掃除口付継手４０は、ケーシングで囲まれて、隠蔽されている（図１参照）。ケーシング８は、掃除口継手３６の掃除口４２をケーシング８の外側から作業者が直接触ることができるように、その上端が水洗大便器７の貯水タンク４の上端より低い位置、好ましくは、水洗大便器７の便器本体２の上面と略同一の高さ位置となるように配置されている。
【００２７】
次に、上述した本発明の実施形態によるトイレシステム１による作用効果を説明する。
先ず、本実施形態によれば、水洗大便器７（便器本体２及び貯水タンク４）、横引配管６及び排水継手３２を備えているトイレシステム１は、左側壁２０、右側壁２２、後方側壁２４、前方扉により区画されたトイレ空間内に配置されている。このため、横引配管６が詰まった場合に、従来のようにトイレ空間の後方側壁２４を取り除く作業を行うことなく、配管内のメンテナンス作業を容易に実施することができる。
【００２８】
また、本実施形態によれば、横引配管６及び排水継手３２は、貯水タンク４の下方に位置された便器本体２の内部空間、具体的に、貯水タンク４の底面の外周を鉛直下方向に投影した部分の内部空間内に配置されている。更に、横引配管６及び排水継手３２は、便器本体２の後端２７より前方側に配置されている。このため、横引配管６、便器本体２及び貯水タンク４をコンパクトにした状態でトイレ空間内に配置させることができる。したがって、トイレ空間の有効スペースを確保することができる。
【００２９】
本実施形態によれば、排水継手３２の便器側接続管３３の接続口３８又は排水パッキン３５の開口３９は、施工後の状態において、前方斜め上方に向けて開口されている。このため、後方斜め下方に延びる下流端２５を後方斜め下方に挿入させることができるので、便器本体２が排水継手３２に容易に接続される。
【００３０】
また、本実施形態によれば、複数の水洗大便器の間の横引配管６に掃除口付継手４０が配置されて、掃除口付継手４０には、上方に向けて開口される掃除口３７が形成されている。このため、横引配管内に汚物等の詰まりが生じた場合、掃除口付継手４０の掃除口３７を介して配管内のメンテナンス作業を容易に実施することができる。
【００３１】
本実施形態によれば、横引配管６及び掃除口付継手４０を囲って隠蔽するケーシング８を備え、このケーシング８は、その上端が貯水タンク４の上端より低い位置、好ましくは、便器本体２の上面と略同一の高さ位置となるように配置されている。このため、横引配管６のメンテナンス作業を行う場合に、作業者が掃除口付継手４０を直接触って作業することができる。また、横引配管６及び掃除口付継手４０がケーシング８で隠蔽されているので見栄えを向上させることができる。
【符号の説明】
【００３２】
１    トイレシステム
２    便器本体
４    貯水タンク
６    横引配管
７    水洗大便器
８    ケーシング
１１  便器本体の下流端
３２  排水継手
３８  接続口
３５  排水パッキン
３９  排水パッキンの開口
４０  掃除口付継手
４２  掃除口
Ｓ    トイレ空間
【図１】
2019138050.tif 000003
【図２】
2019138050.tif 000004
【図３】
2019138050.tif 000005